(57)【要約】【課題】本発明は各種設定項目の設定を容易にした印刷装置、印刷システム及び記録媒体を提供する。【解決手段】印刷システム１は、プリンタＰｒが、その搭載するプログラム転送プログラムに基づいて、プリンタＰｒ用のドライバプログラムとインストールプログラムが予め格納されているＩＣカード２に、プリンタＰｒのネットワークアドレス、オプション構成、給紙カセット用紙サイズ等の固有情報を送信して格納させ、パーソナルコンピュータＰＣに当該固有情報の保存されたＩＣカード２が接続されて、ＩＣカード２のインストールプログラムが起動されると、ドライバプログラムと固有情報に基づくシステム設定を当該インストールプログラムに基づいてパーソナルコンピュータＰＣに行う。したがって、プリンタＰｒの固有情報に基づくパーソナルコンピュータＰＣへのシステム設定をドライバプログラムのインストール時に自動的に行うことができる。【選択図】　　　　　図１
2004017624.tif 000002
【特許請求の範囲】
【請求項１】
情報処理装置に接続され、当該情報処理装置の搭載するドライバプログラムに基づく印刷要求に応じて印刷処理する印刷装置において、プログラム転送プログラムを搭載し、当該プログラム転送プログラムに基づいて、当該印刷装置用の前記ドライバプログラムが予め格納されている情報記録媒体に、当該印刷装置のネットワークアドレス、オプション構成、給紙カセット用紙サイズ等の固有情報を送信することを特徴とする印刷装置。
【請求項２】
前記情報記録媒体は、前記情報処理装置に接続されて起動されることで、前記ドライバプログラムと前記固有情報に基づくシステム設定を当該情報処理装置に行うインストールプログラムが予め格納されていることを特徴とする請求項１記載の印刷装置。
【請求項３】
情報処理装置と印刷装置が接続され、当該情報処理装置の搭載するドライバプログラムに基づく印刷要求に応じて当該印刷装置が印刷処理する印刷システムにおいて、前記印刷装置が、プログラム転送プログラムを搭載し、当該プログラム転送プログラムに基づいて、当該印刷装置用の前記ドライバプログラムとインストールプログラムが予め格納されている情報記録媒体に、当該印刷装置のネットワークアドレス、オプション構成、給紙カセット用紙サイズ等の固有情報を送信して格納させ、前記情報処理装置に当該固有情報の保存された情報記録媒体が接続されて、当該情報記録媒体のインストールプログラムが起動されると、前記ドライバプログラムと前記固有情報に基づくシステム設定を当該インストールプログラムに基づいて当該情報処理装置に行うことを特徴とする印刷システム。
【請求項４】
情報処理装置の搭載するドライバプログラムに基づく印刷要求に応じて印刷処理する印刷装置が読取可能な記録媒体であって、前記印刷装置用の前記ドライバプログラムが予め格納されている情報記録媒体が当該印刷装置に接続されると、当該印刷装置のネットワークアドレス、オプション構成、給紙カセット用紙サイズ等の固有情報を当該情報記録媒体に送信させるプログラム転送プログラムが格納されていることを特徴とする記録媒体。
【請求項５】
搭載するドライバプログラムに基づいて印刷装置に印刷要求を行って当該印刷装置に印刷処理を行わせる情報処理装置が読取可能な記録媒体であって、前記ドライバプログラムと前記印刷装置のネットワークアドレス、オプション構成、給紙カセット用紙サイズ等の固有情報に基づくシステム設定を当該情報処理装置に行うインストールプログラム及び当該ドライバプログラムを、前記印刷装置で書込可能な情報記録媒体に書き込ませるプログラムインストールプログラムが格納されていることを特徴とする記録媒体。
【発明の詳細な説明】
【０００１】
【発明の属する技術分野】
本発明は、印刷装置、印刷システム及び記録媒体に関し、詳細には、各種設定項目の設定を容易にした印刷装置、印刷システム及び記録媒体に関する。
【０００２】
【従来の技術】
近時、ネットワーク化が進み、プリンタ等の印刷装置は、ネットワークに接続されることが一般的になってきており、ユーザがインストールする際の負担が増大してきている。
【０００３】
従来、ネットワークに接続された印刷装置においては、印刷装置のネットワークアドレスや印刷装置の設定情報をネットワーク管理者からの情報を元に、ユーザが、インストールプログラムを実行し、印刷装置の設定情報を入力しながら印刷装置の導入操作を行っている。
【０００４】
すなわち、印刷装置は、使用するに際して、予め設定を必要とする項目があり、この設定項目としては、印刷装置自体としての設定項目とネットワークで使用するための設定項目がある。
【０００５】
ネットワークで使用するための設定項目としては、最低限、ネットワークアドレスを設定しなければならないが、最近ではプリンタの起動時に、ネットワークサーバから空いているアドレスを自動的に取得して起動する方式（ＷｉｎｄｏｗｓのＤＨＣＰ機能：登録商標）が主流になってきている。
【０００６】
この方式を用いることで、印刷装置は、起動時にネットワークが使用できる状態に自動的設定することができる。
【０００７】
一方、印刷装置自身の設定項目（設定情報）は、１台１台印刷装置の操作パネルから、または、ネットワークから専用のツールを使用して設定する必要がある。
【０００８】
【発明が解決しようとする課題】
しかしながら、このような公報記載の従来技術にあっては、各印刷装置毎に予め固有の設定情報を設定する必要があり、設定作業が面倒であり、利用性が悪いという問題があった。
【０００９】
そこで、本発明は、印刷装置の設定を簡単かつ容易なものとして、印刷装置の設定作業を削減し、利用性の良好な印刷装置、印刷システム及び記録媒体を提供することを目的としている。
【００１０】
具体的には、請求項１記載の発明は、情報処理装置に接続され、当該情報処理装置の搭載するドライバプログラムに基づく印刷要求に応じて印刷処理する印刷装置が、その搭載するプログラム転送プログラムに基づいて、当該印刷装置用のドライバプログラムが予め格納されている情報記録媒体に、当該印刷装置のネットワークアドレス、オプション構成、給紙カセット用紙サイズ等の固有情報を送信することにより、印刷装置の固有情報をドライバプログラムのインストール時に利用できるようにして、ユーザによる印刷装置の情報処理装置への設定作業を軽減し、利用性の良好な印刷装置を提供することを目的としている。
【００１１】
請求項２記載の発明は、情報記録媒体に、情報処理装置に接続されて起動されることで、ドライバプログラムと固有情報に基づくシステム設定を当該情報処理装置に行うインストールプログラムを予め格納することにより、印刷装置の固有情報に基づく情報処理装置へのシステム設定をドライバプログラムのインストール時に自動的に行えるようにして、システム設定の知識をあまり有していないユーザであっても印刷装置の情報処理装置への設定をより一層容易に行えるようにし、より一層利用性の良好な印刷装置を提供することを目的としている。
【００１２】
請求項３記載の発明は、印刷装置が、その搭載するプログラム転送プログラムに基づいて、当該印刷装置用のドライバプログラムとインストールプログラムが予め格納されている情報記録媒体に、当該印刷装置のネットワークアドレス、オプション構成、給紙カセット用紙サイズ等の固有情報を送信して格納させ、情報処理装置に当該固有情報の保存された情報記録媒体が接続されて、当該情報記録媒体のインストールプログラムが起動されると、ドライバプログラムと固有情報に基づくシステム設定を当該インストールプログラムに基づいて当該情報処理装置に行うことにより、印刷装置の固有情報に基づく情報処理装置へのシステム設定をドライバプログラムのインストール時に自動的に行えるようにして、システム設定知識をあまり有していないユーザであっても印刷装置の情報処理装置への設定を容易に行えるようにし、利用性の良好な印刷システムを提供することを目的としている。
【００１３】
請求項４記載の発明は、情報処理装置の搭載するドライバプログラムに基づく印刷要求に応じて印刷処理する印刷装置が読取可能な記録媒体に、印刷装置用のドライバプログラムが予め格納されている情報記録媒体が当該印刷装置に接続されると、当該印刷装置のネットワークアドレス、オプション構成、給紙カセット用紙サイズ等の固有情報を当該情報記録媒体に送信させるプログラム転送プログラムを格納することにより、印刷装置に記録媒体のプログラム転送プログラムを読み取らせて搭載することで、情報記録媒体が印刷装置に接続されると、プログラム転送プログラムで、印刷装置の固有情報を当該情報記録媒体に送信して格納させて、ドライバプログラムのインストール時に利用できるようにし、ユーザによる印刷装置の情報処理装置への設定作業を軽減して、利用性を向上させることのできる記録媒体を提供することを目的としている。
【００１４】
請求項５記載の発明は、搭載するドライバプログラムに基づいて印刷装置に印刷要求を行って当該印刷装置に印刷処理を行わせる情報処理装置が読取可能な記録媒体に、ドライバプログラムと印刷装置のネットワークアドレス、オプション構成、給紙カセット用紙サイズ等の固有情報に基づくシステム設定を当該情報処理装置に行うインストールプログラム及び当該ドライバプログラムを、印刷装置で書込可能な情報記録媒体に書き込ませるプログラムインストールプログラムを格納することにより、情報処理装置に記録媒体のプログラムインストールプログラムを読み取らせて搭載することで、ドライバプログラムとインストールプログラムを簡単かつ容易に情報記録媒体に書き込み、利用性を向上させることのできる記録媒体を提供することを目的としている。
【００１５】
【課題を解決するための手段】
請求項１記載の発明の印刷装置は、情報処理装置に接続され、当該情報処理装置の搭載するドライバプログラムに基づく印刷要求に応じて印刷処理する印刷装置において、プログラム転送プログラムを搭載し、当該プログラム転送プログラムに基づいて、当該印刷装置用の前記ドライバプログラムが予め格納されている情報記録媒体に、当該印刷装置のネットワークアドレス、オプション構成、給紙カセット用紙サイズ等の固有情報を送信することにより、上記目的を達成している。
【００１６】
上記構成によれば、情報処理装置に接続され、当該情報処理装置の搭載するドライバプログラムに基づく印刷要求に応じて印刷処理する印刷装置が、その搭載するプログラム転送プログラムに基づいて、当該印刷装置用のドライバプログラムが予め格納されている情報記録媒体に、当該印刷装置のネットワークアドレス、オプション構成、給紙カセット用紙サイズ等の固有情報を送信するので、印刷装置の固有情報をドライバプログラムのインストール時に利用できるようにして、ユーザによる印刷装置の情報処理装置への設定作業を軽減することができ、利用性を向上させることができる。
【００１７】
この場合、例えば、請求項２に記載するように、前記情報記録媒体は、前記情報処理装置に接続されて起動されることで、前記ドライバプログラムと前記固有情報に基づくシステム設定を当該情報処理装置に行うインストールプログラムが予め格納されていてもよい。
【００１８】
上記構成によれば、情報記録媒体に、情報処理装置に接続されて起動されることで、ドライバプログラムと固有情報に基づくシステム設定を当該情報処理装置に行うインストールプログラムを予め格納しているので、印刷装置の固有情報に基づく情報処理装置へのシステム設定をドライバプログラムのインストール時に自動的に行えるようにして、システム設定の知識をあまり有していないユーザであっても印刷装置の情報処理装置への設定をより一層容易に行うことができ、より一層利用性を向上させることができる。
【００１９】
請求項３記載の発明の印刷システムは、情報処理装置と印刷装置が接続され、当該情報処理装置の搭載するドライバプログラムに基づく印刷要求に応じて当該印刷装置が印刷処理する印刷システムにおいて、前記印刷装置が、プログラム転送プログラムを搭載し、当該プログラム転送プログラムに基づいて、当該印刷装置用の前記ドライバプログラムとインストールプログラムが予め格納されている情報記録媒体に、当該印刷装置のネットワークアドレス、オプション構成、給紙カセット用紙サイズ等の固有情報を送信して格納させ、前記情報処理装置に当該固有情報の保存された情報記録媒体が接続されて、当該情報記録媒体のインストールプログラムが起動されると、前記ドライバプログラムと前記固有情報に基づくシステム設定を当該インストールプログラムに基づいて当該情報処理装置に行うことにより、上記目的を達成している。
【００２０】
上記構成によれば、印刷装置が、その搭載するプログラム転送プログラムに基づいて、当該印刷装置用のドライバプログラムとインストールプログラムが予め格納されている情報記録媒体に、当該印刷装置のネットワークアドレス、オプション構成、給紙カセット用紙サイズ等の固有情報を送信して格納させ、情報処理装置に当該固有情報の保存された情報記録媒体が接続されて、当該情報記録媒体のインストールプログラムが起動されると、ドライバプログラムと固有情報に基づくシステム設定を当該インストールプログラムに基づいて当該情報処理装置に行うので、印刷装置の固有情報に基づく情報処理装置へのシステム設定をドライバプログラムのインストール時に自動的に行えるようにして、システム設定知識をあまり有していないユーザであっても印刷装置の情報処理装置への設定を容易に行うことができ、利用性を向上させることができる。
【００２１】
請求項４記載の発明の記録媒体は、情報処理装置の搭載するドライバプログラムに基づく印刷要求に応じて印刷処理する印刷装置が読取可能な記録媒体であって、前記印刷装置用の前記ドライバプログラムが予め格納されている情報記録媒体が当該印刷装置に接続されると、当該印刷装置のネットワークアドレス、オプション構成、給紙カセット用紙サイズ等の固有情報を当該情報記録媒体に送信させるプログラム転送プログラムが格納されていることにより、上記目的を達成している。
【００２２】
上記構成によれば、情報処理装置の搭載するドライバプログラムに基づく印刷要求に応じて印刷処理する印刷装置が読取可能な記録媒体に、印刷装置用のドライバプログラムが予め格納されている情報記録媒体が当該印刷装置に接続されると、当該印刷装置のネットワークアドレス、オプション構成、給紙カセット用紙サイズ等の固有情報を当該情報記録媒体に送信させるプログラム転送プログラムを格納しているので、印刷装置に記録媒体のプログラム転送プログラムを読み取らせて搭載することで、情報記録媒体が印刷装置に接続されると、プログラム転送プログラムで、印刷装置の固有情報を当該情報記録媒体に送信して格納させて、ドライバプログラムのインストール時に利用することができ、ユーザによる印刷装置の情報処理装置への設定作業を軽減して、利用性を向上させることができる。
【００２３】
請求項５記載の発明の記録媒体は、搭載するドライバプログラムに基づいて印刷装置に印刷要求を行って当該印刷装置に印刷処理を行わせる情報処理装置が読取可能な記録媒体であって、前記ドライバプログラムと前記印刷装置のネットワークアドレス、オプション構成、給紙カセット用紙サイズ等の固有情報に基づくシステム設定を当該情報処理装置に行うインストールプログラム及び当該ドライバプログラムを、前記印刷装置で書込可能な情報記録媒体に書き込ませるプログラムインストールプログラムが格納されていることにより、上記目的を達成している。
【００２４】
上記構成によれば、搭載するドライバプログラムに基づいて印刷装置に印刷要求を行って当該印刷装置に印刷処理を行わせる情報処理装置が読取可能な記録媒体に、ドライバプログラムと印刷装置のネットワークアドレス、オプション構成、給紙カセット用紙サイズ等の固有情報に基づくシステム設定を当該情報処理装置に行うインストールプログラム及び当該ドライバプログラムを、印刷装置で書込可能な情報記録媒体に書き込ませるプログラムインストールプログラムを格納しているので、情報処理装置に記録媒体のプログラムインストールプログラムを読み取らせて搭載することで、ドライバプログラムとインストールプログラムを簡単かつ容易に情報記録媒体に書き込むことができ、利用性を向上させることができる。
【００２５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２６】
図１及び図２は、本発明の印刷装置、印刷システム及び記録媒体の一実施の形態を示す図であり、図１は、本発明の印刷装置、印刷システム及び記録媒体の一実施の形態を適用した印刷システム１のシステム構成図である。
【００２７】
図１において、印刷システム１は、ＬＡＮ（Ｌｏｃａｌ　Ａｒｅａ　Ｎｅｔｗｏｒｋ）等のネットワークＮＷに複数の印刷装置としてのプリンタＰｒと情報処理装置としてのパーソナルコンピュータＰＣが接続されている。
【００２８】
プリンタＰｒは、ＩＣカード（情報記録媒体）２と通信して、自己の固有情報を送信し、ＩＣカード２に当該固有情報を書き込ませる。
【００２９】
このＩＣカード２には、プリンタＰｒ用のプリンタドライバプログラムとインストールプログラムが書き込まれており、このインストールプログラムは、ＩＣカード２に書き込まれたプリンタＰｒの固有情報をパーソナルコンピュータＰＣにインストールするためのプログラムである。
【００３０】
上記ＩＣカード２に書き込む固有情報は、例えば、当該プリンタＰｒのネットワークアドレス、オプション構成、給紙カセット用紙サイズ等の情報である。
【００３１】
また、プリンタＰｒとＩＣカード２との通信手段は、例えば、プリンタＰｒに設けられたＩＣカード用ドライバ等である。
【００３２】
そして、プリンタＰｒには、フロッピィディスク（登録商標）やＣＤ−ＲＯＭ（Ｃｏｍｐａｃｔ　Ｄｉｓｃ　Ｒｅａｄ　Ｏｎｌｙ　Ｍｅｍｏｒｙ　）、ＩＣカード等のプリンタＰｒの読取可能な記録媒体に格納されているプログラム転送プログラムがプリンタＰｒに読み取らせることで搭載され、プリンタＰｒは、当該プログラム転送プログラムに基づいて、上記固有情報のＩＣカード２への転送を行う。
【００３３】
パーソナルコンピュータＰＣは、ネットワークＮＷを介してプリンタＰｒに印刷データを送信して印刷処理を行わせる。このパーソナルコンピュータＰＣは、ＩＣカード読取装置３を備えており、ＩＣカード読取装置３は、パーソナルコンピュータＰＣの制御下で、上記プリンタＰｒ用のプリンタドライバプログラムとインストールプログラムの書き込まれたＩＣカード２であって、プリンタＰｒにより当該プリンタＰｒの固有情報の書き込まれたＩＣカード２の読み取りを行う。
【００３４】
パーソナルコンピュータＰＣは、ユーザによりＩＣカード読取装置３に挿入されたＩＣカード２のインストールプログラムの実行指示操作が行われると、当該インストールプログラムを実行して、インストールプログラムにより、ＩＣカード２からプリンタＰｒの固有情報（ネットワークアドレス、オプション構成、給紙カセット用紙サイズ等）を読み取って、当該固有情報のネットワークアドレスに基づいて、プリンタＰｒを検索して、出力先のプリンタＰｒとして決定するとともに、オプション構成、給紙カセット用紙サイズ等のデータを付加したプリンタドライバプログラムをパーソナルコンピュータＰＣにインストールする。
【００３５】
そして、上記ＩＣカード２へのプリンタドライバプログラムとインストールプログラムの格納は、パーソナルコンピュータＰＣに搭載されているプログラムインストールプログラムに基づいて行う。このプログラムインストールプログラムは、フロッピィディスク、ＣＤ−ＲＯＭ及びＩＣカード等のパーソナルコンピュータＰＣの読取可能な記録媒体に格納されているプログラムインストールプログラムをパーソナルコンピュータＰＣに読み取らせることで、パーソナルコンピュータＰＣに搭載され、パーソナルコンピュータＰＣは、このプログラムインストールプログラムに基づいて、上記ＩＣカード２へのプリンタドライバプログラムとインストールプログラムの格納処理を行う。
【００３６】
次に、本実施の形態の作用を説明する。本実施の形態の印刷システム１は、プリンタＰｒが、プリンタＰｒの固有情報をプリンタドライバプログラムとインストールプログラムの登録されているＩＣカード２に書き込み、このＩＣカード２をパーソナルコンピュータＰＣに読み取らせて、ＩＣカード２のインストールプログラムでプリンタＰｒを特定するとともに、オプション構成、給紙カセット用紙サイズ等のデータを付加したプリンタドライバプログラムをインストールする。
【００３７】
すなわち、プリンタＰｒは、図２に示すように、ＩＣカード２との通信が可能かどうかチェックする（ステップＳ１０１）。
【００３８】
このＩＣカード２には、上述のように、予めプリンタＰｒ２のドライバプログラムとインストールプログラムが格納されている。
【００３９】
プリンタＰｒは、ステップＳ１０１で、ＩＣカード用ドライバにＩＣカード２が挿入される等によりＩＣカード２との通信が可能になると、ＩＣカード２に自己のネットワークアドレス、オプション構成、給紙カセット用紙サイズ等の固有情報を送信し、ＩＣカード２が受信した固有情報を保存する（ステップＳ１０２）。
【００４０】
ユーザは、この固有情報の書き込まれたＩＣカード２を、プリンタＰｒから取り外して、パーソナルコンピュータＰＣのＩＣカード読取装置３に挿入し、ＩＣカード読取装置３を駆動させてＩＣカード２のインストールプログラムの実行を指示する。
【００４１】
パーソナルコンピュータＰＣは、ＩＣカード２のインストールプログラムの実行が指示操作されると、当該インストールプログラムを実行して、ＩＣカード２からプリンタＰｒの固有情報（ネットワークアドレス、オプション構成、給紙カセット用紙サイズ等）を読み取り、当該固有情報のネットワークアドレスに基づいて、プリンタＰｒを検索して、出力先のプリンタＰｒとして決定するとともに、オプション構成、給紙カセット用紙サイズ等のデータを付加したプリンタドライバプログラムをパーソナルコンピュータＰＣにインストールする。
【００４２】
このように、本実施の形態の印刷システム１は、プリンタＰｒが、その搭載するプログラム転送プログラムに基づいて、プリンタＰｒ用のドライバプログラムが予め格納されているＩＣカード２に、プリンタＰｒのネットワークアドレス、オプション構成、給紙カセット用紙サイズ等の固有情報を送信している。
【００４３】
したがって、プリンタＰｒの固有情報をドライバプログラムのインストール時に利用できるようにして、ユーザによるプリンタＰｒのパーソナルコンピュータＰＣへの設定作業を軽減することができ、利用性を向上させることができる。
【００４４】
また、本実施の形態の印刷システム１は、ＩＣカード２に、パーソナルコンピュータＰＣに接続されて起動されることで、ドライバプログラムと固有情報に基づくシステム設定をパーソナルコンピュータＰＣに行うインストールプログラムを予め格納している。
【００４５】
したがって、プリンタＰｒの固有情報に基づくパーソナルコンピュータＰＣ置へのシステム設定をドライバプログラムのインストール時に自動的に行えるようにして、システム設定の知識をあまり有していないユーザであってもプリンタＰｒのパーソナルコンピュータＰＣへの設定をより一層容易に行うことができ、より一層利用性を向上させることができる。
【００４６】
さらに、本実施の形態の印刷システム１は、プリンタＰｒが、その搭載するプログラム転送プログラムに基づいて、プリンタＰｒ用のドライバプログラムとインストールプログラムが予め格納されているＩＣカード２に、プリンタＰｒのネットワークアドレス、オプション構成、給紙カセット用紙サイズ等の固有情報を送信して格納させ、パーソナルコンピュータＰＣに当該固有情報の保存されたＩＣカード２が接続されて、ＩＣカード２のインストールプログラムが起動されると、ドライバプログラムと固有情報に基づくシステム設定を当該インストールプログラムに基づいてパーソナルコンピュータＰＣに行っている。
【００４７】
したがって、プリンタＰｒの固有情報に基づくパーソナルコンピュータＰＣへのシステム設定をドライバプログラムのインストール時に自動的に行えるようにして、システム設定知識をあまり有していないユーザであってもプリンタＰｒのパーソナルコンピュータＰＣへの設定を容易に行うことができ、利用性を向上させることができる。
【００４８】
また、本実施の形態の印刷システム１は、プリンタＰｒが読取可能な記録媒体に、プリンタＰｒ用のドライバプログラムが予め格納されているＩＣカード２がプリンタＰｒに接続されると、プリンタＰｒのネットワークアドレス、オプション構成、給紙カセット用紙サイズ等の固有情報をＩＣカード２に送信させるプログラム転送プログラムを格納している。
【００４９】
したがって、プリンタＰｒに記録媒体のプログラム転送プログラムを読み取らせて搭載することで、ＩＣカード２がプリンタＰｒに接続されると、プログラム転送プログラムで、プリンタＰｒの固有情報をＩＣカード２に送信して格納させて、ドライバプログラムのインストール時に利用することができ、ユーザによるプリンタＰｒのパーソナルコンピュータＰＣへの設定作業を軽減して、利用性を向上させることができる。
【００５０】
さらに、本実施の形態の印刷システム１は、パーソナルコンピュータＰＣが読取可能な記録媒体に、ドライバプログラムとプリンタＰｒのネットワークアドレス、オプション構成、給紙カセット用紙サイズ等の固有情報に基づくシステム設定をパーソナルコンピュータＰＣに行うインストールプログラム及び当該ドライバプログラムを、プリンタＰｒで書込可能なＩＣカード２に書き込ませるプログラムインストールプログラムを格納している。
【００５１】
したがって、パーソナルコンピュータＰＣに記録媒体のプログラムインストールプログラムを読み取らせて搭載することで、ドライバプログラムとインストールプログラムを簡単かつ容易にＩＣカード２に書き込むことができ、利用性を向上させることができる。
【００５２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５３】
例えば、上記実施の形態においては、印刷装置としてのプリンタがパーソナルコンピュータにネットワークで接続されている印刷システムに適用した場合について説明したが、ネットワーク接続されているものに限るものではなく、例えば、印刷装置は、シリアルケーブルでパーソナルコンピュータ等の情報処理装置が接続されている場合にも同様に適用することができる。
【００５４】
また、上記実施の形態においては、印刷装置がプリンタである場合について説明したが、印刷装置としては、プリンタに限るものではなく、情報処理装置からの印刷要求に応じて印刷処理するもの、例えば、プリンタ機能を備えたファクシミリ装置、複写装置等にも同様に適用することができる。
【００５５】
【発明の効果】
請求項１記載の発明の印刷装置によれば、情報処理装置に接続され、当該情報処理装置の搭載するドライバプログラムに基づく印刷要求に応じて印刷処理する印刷装置が、その搭載するプログラム転送プログラムに基づいて、当該印刷装置用のドライバプログラムが予め格納されている情報記録媒体に、当該印刷装置のネットワークアドレス、オプション構成、給紙カセット用紙サイズ等の固有情報を送信するので、印刷装置の固有情報をドライバプログラムのインストール時に利用できるようにして、ユーザによる印刷装置の情報処理装置への設定作業を軽減することができ、利用性を向上させることができる。
【００５６】
請求項２記載の発明の印刷装置によれば、情報記録媒体に、情報処理装置に接続されて起動されることで、ドライバプログラムと固有情報に基づくシステム設定を当該情報処理装置に行うインストールプログラムを予め格納しているので、印刷装置の固有情報に基づく情報処理装置へのシステム設定をドライバプログラムのインストール時に自動的に行えるようにして、システム設定の知識をあまり有していないユーザであっても印刷装置の情報処理装置への設定をより一層容易に行うことができ、より一層利用性を向上させることができる。
【００５７】
請求項３記載の発明の印刷システムによれば、印刷装置が、その搭載するプログラム転送プログラムに基づいて、当該印刷装置用のドライバプログラムとインストールプログラムが予め格納されている情報記録媒体に、当該印刷装置のネットワークアドレス、オプション構成、給紙カセット用紙サイズ等の固有情報を送信して格納させ、情報処理装置に当該固有情報の保存された情報記録媒体が接続されて、当該情報記録媒体のインストールプログラムが起動されると、ドライバプログラムと固有情報に基づくシステム設定を当該インストールプログラムに基づいて当該情報処理装置に行うので、印刷装置の固有情報に基づく情報処理装置へのシステム設定をドライバプログラムのインストール時に自動的に行えるようにして、システム設定知識をあまり有していないユーザであっても印刷装置の情報処理装置への設定を容易に行うことができ、利用性を向上させることができる。
【００５８】
請求項４記載の発明の記録媒体によれば、情報処理装置の搭載するドライバプログラムに基づく印刷要求に応じて印刷処理する印刷装置が読取可能な記録媒体に、印刷装置用のドライバプログラムが予め格納されている情報記録媒体が当該印刷装置に接続されると、当該印刷装置のネットワークアドレス、オプション構成、給紙カセット用紙サイズ等の固有情報を当該情報記録媒体に送信させるプログラム転送プログラムを格納しているので、印刷装置に記録媒体のプログラム転送プログラムを読み取らせて搭載することで、情報記録媒体が印刷装置に接続されると、プログラム転送プログラムで、印刷装置の固有情報を当該情報記録媒体に送信して格納させて、ドライバプログラムのインストール時に利用することができ、ユーザによる印刷装置の情報処理装置への設定作業を軽減して、利用性を向上させることができる。
【００５９】
請求項５記載の発明の記録媒体によれば、搭載するドライバプログラムに基づいて印刷装置に印刷要求を行って当該印刷装置に印刷処理を行わせる情報処理装置が読取可能な記録媒体に、ドライバプログラムと印刷装置のネットワークアドレス、オプション構成、給紙カセット用紙サイズ等の固有情報に基づくシステム設定を当該情報処理装置に行うインストールプログラム及び当該ドライバプログラムを、印刷装置で書込可能な情報記録媒体に書き込ませるプログラムインストールプログラムを格納しているので、情報処理装置に記録媒体のプログラムインストールプログラムを読み取らせて搭載することで、ドライバプログラムとインストールプログラムを簡単かつ容易に情報記録媒体に書き込むことができ、利用性を向上させることができる。
【図面の簡単な説明】
【図１】本発明の印刷装置、印刷システム及び記録媒体の一実施の形態を適用した印刷システムのシステム構成図。
【図２】図１の印刷装置、印刷システム及び記録媒体による固有情報書込処理を示すフローチャート。
【符号の説明】
１　印刷システム
２　ＩＣカード
３　ＩＣカード読取装置
ＮＷ　ネットワーク
Ｐｒ　プリンタ
ＰＣ　パーソナルコンピュータ
【図１】
2004017624.tif 000003
【図２】
2004017624.tif 000004